(57)【要約】      （修正有）【課題】咄嗟の時にはペダルから足が外せるように側方を解放し、両方の足をそれぞれ上部からのみペダルに押し付けて、ペダルを踏み込む足の力とペダルを引き上げる足の力を、ペダルの回転に利用するペダル補助具を提供する。【解決手段】足を乗せていない時には全体の重心をペダルの下方に置き、足押さえ板１と足押さえ板支持ケース３をアルミニュームか合成樹脂等、剛性が有り軽い材料で製作し、ペダル取付台４は鉄板等重い材料で製作する。【選択図】図１
0003119183.tif 000002
【実用新案登録請求の範囲】
【請求項１】
ペダルに乗せた足の甲を上部から押さえる係止部と、この係止部の一端から直角に下ろされその下端前面に、前記係止部の高さ調節及び保持機能を担うラッチ用突起部を設け、さらにその下端背面にラッチ用弾性体を取り付けた支持部を持つ足押さえ板と、
後述するペダル取り付け台の垂直部に固定され、前記足押さえ板の支持部が挿入された時、その動きをガイドするための挿入孔を形成する足押さえ板支持ケースと、
前記足押さえ板支持ケースをペダルのクランクアーム側で支持し、尚かつ前記足押さえ板支持部の下端前面に設けたラッチ用突起部と相互作用して前記足押さえ板係止部の高さ調節及び保持機能を担うラッチ用凹み部を複数持つ垂直部と、ペダル下面に取り付ける為のペダル踏み面と同等寸法の長方形水平部及び、その水平部から垂直に曲げ上げたペダルズレ防止爪から成り、前記の二部品と一体に組み立ててペダル下面に固定した時に、足押さえ板の係止部がペダルの踏み面の上方に有るべく、ペダルを含む全体の重心がペダルの下方になる重さを有するペダル取り付け台とから成る、足押さえ用自転車ペダル補助具。
【考案の詳細な説明】
【技術分野】
【０００１】
本考案は、市販自転車のペダルに補助具を取り付けて従来の市販の自転車より楽に漕げる自転車を提供するものである。
【背景技術】
【０００２】
今までの市販自転車には、足をペダルに押し付ける装置は無かった。又、特許文献１に示した公報は、足押さえの必要性に関しては同様の思想であるが、高さ調節機構は異種のものであり、又、市販自転車のペダルでは対応できない。
【特許文献１】特開平２ー１８５８８４号公報
【考案の開示】
【考案が解決しようとする課題】
【０００３】
今までの市販自転車のペダルでは、回転力発生源として足を踏み降ろす時の力が利用されており、足の引き上げ力はその効果を利用できない。寧ろ、踏み降ろす足の他方の足はペダルに足を乗せているので回転力を減少させる。
又、競技用自転車のペダルには足固定具を装備しているが、咄嗟の時に足を簡単に外すことが出来なかったり、専用の靴が必要で有ったりして、一般大衆が利用するには、問題点が多い。
【課題を解決するための手段】
【０００４】
ペダルに乗せた足の甲を上部から押さえる係止部と、この係止部の一端から直角に下ろされその下端前面に、前記係止部の高さ調節及び保持機能を担うラッチ用突起部を設け、さらに下端背面にラッチ用弾性体を取り付けた支持部を持つ足押さえ板と、
後述するペダル取り付け台の垂直部に固定され、前記足押さえ板の支持部が挿入された時、その動きをガイドするための挿入孔を形成する足押さえ板支持ケースと、
前記足押さえ板支持ケースをペダルのクランクアーム側で支持し、尚かつ前記足押さえ板支持部の下端前面に設けたラッチ用突起部と相互作用して前記足押さえ板係止部の高さ調節及び保持機能を担うラッチ用凹み部を複数持つ垂直部と、ペダル下面に取り付ける為のペダル踏み面と同等寸法の長方形水平部及び、その水平部の他の三辺からそれぞれ垂直に曲げ上げたペダルズレ防止爪から成り、前記の二部品と一体に組み立ててペダル下面に固定した時に、足押さえ板の係止部がペダルの踏み面の上方に有るべく、ペダルを含む全体の重心がペダルの下方になる重さを有するペダル取り付け台とから成る。
以上の構成部品の内、弾性体を含む足押さえ板は脱着自在に、足押さえ板支持ケースとペダル取り付け台は一体化し、市販自転車ペダルの下部に踏み面と一体に成るように固定する。
【考案の効果】
【０００５】
本考案の効果として両足の脚力を同時に使えるので楽に漕げるし、足がペダルに上方から押されていると、走行中に足がペダルから離れない様に力を入れておく必要が無いので、より楽に漕げる。
走行中に危険を感じた時は、足を側方や後方に引くことにより、簡単に足を自由にすることが出来る。
補助具をペダルに固定した状態では、ペダル全体の重心がペダルの下方にあるので、足押さえ板は常に上方にあり、足を乗せやすいし、足押さえ板が不要の時には足押さえ板のみを外して使用出来る。
【考案を実施するための最良の形態】
【０００６】
考案した足押さえ用自転車ペダル補助具は一対で機能するが左足用を図に基づいて説明する。  
図１はペダル補助具をペダルに取り付けた全体斜視図であるが、足を乗せていない時には全体の重心をペダルの下方に置き、足押さえ板１がペダル踏み面の上方に来るように足押さえ板１と足押さえ板支持ケース３をアルミニュームか合成樹脂等、剛性が有り軽い材料で製作し、ペダル取り付け台４は鉄板等重い材料で製作する。
【０００７】
又、破断面内部は足押さえ板のラッチ用突起部１ａと、ペダル取り付け台の足押さえ板支持ケース支持部４ａに設けられたラッチ用凹み部４ｂの嵌合状態を示し、足押さえ板支持部１ｆを支持ケース３に挿入する方向では抵抗が小さく、抜く時にはラッチを解除しないと抜けない角度構成にし、ラッチ用凹み部４ｂの角度は６０度前後、ラッチ用突起部１ａの角度は４０度前後が望ましい。又、ラッチ用凹み部４ｂの幅は５ｍｍ前後、ラッチ用突起部１ａを含む足押さえ板支持部１ｆの幅も同様でよい。又、ラッチ用凹み部４ｂとラッチ用突起部１ａの嵌合深さは３ｍｍ前後が望ましい。
【０００８】
図２は市販ペダルを含む全体組み立て図であるが、足押さえ板の係止部１ｅに緩衝材１ｄを取り付けることで足の甲の違和感を解消する。
【０００９】
又、足押さえ板支持ケース３は支持部４ａに被せて固定ネジ３ａ二本でペダル取り付け台４に固定する。これにより生じる足押さえ板支持部１ｆ用の挿入孔の大きさは、幅方向でラッチ用凹み部４ｂの幅プラス１〜２ｍｍ、奥行き方向はラッチを解除出来る寸法とする。
【００１０】
図３はペダル取り付け台４と固定バンド５、及びペダルズレ防止爪４ｃの位置関係を示す斜視図であるが、固定バンド５の機能はペダル取り付け台４をペダルに保持することなので図のように2本使って固定バンド穴４ｄに通して固定し、ペダルとペダル取り付け台４の横滑り防止のためにペダル取り付け台４の三辺から曲げ上げたペダルズレ防止爪４ｃを設け、この内面に市販ペダルが嵌る。又足押さえ板支持ケース支持部４ａはペダル取り付け台４と一体に製作され、ラッチ用凹み部４ｂ全体の水平角度は６０度前後とする。
【００１１】
図４は足押さえ板支持部１ｆのラッチ作用部の拡大図であるが、Ｌ字形棒状弾性体２はその長辺端をＬ字形棒状弾性体支持孔１ｂの最深部まで挿入し、短辺端をＬ字形棒状弾性体ガイド孔１ｃに曲げ入れた状態で保持される。
【００１２】
この時の足押さえ板支持部１ｆ背面とＬ字形棒状弾性体２の頂点間距離は、ラッチ用凹み部４ｂとラッチ用突起部１ａのラッチ解除に必要な３ｍｍ以上とする。又、Ｌ字形棒状弾性体２を含む足押さえ板支持部１ｆのラッチ作用部が足押さえ板支持ケース３とペダル取り付け台４の足押さえ板支持ケース支持部４ａで形成された挿入孔に挿入されると、任意の高さで足押さえ板支持ケース支持部４ａのラッチ用凹み部４ｂに足押さえ板支持部１ｆのラッチ用突起部１aが嵌る。尚この時、ラッチ部相互を押し付けて足押さえ板１の高さ保持を受け持つのがＬ字形棒弾性体２と足押さえ板支持ケース３の挿入孔背面内壁の役割である。
【００１３】
図５はＬ字形棒状弾性体２が曲がりその頂点がＬ字形棒状弾性体ガイド孔１ｃ内に入った状態を示す。手で足押さえ板１の上部を前方に押した時、足押さえ板支持ケース支持部４ａの上端が支点になり、Ｌ字形棒状弾性体２を曲げる力が加わり、Ｌ字形棒状弾性体２が曲げられて足押さえ板支持部１ｆのラッチ用突起部１ａと足押さえ板支持ケース支持部４ａのラッチ用凹み部４ｂのラッチが外れて足押さえ板１の引き抜きが可能になる。
【００１４】
また、足押さえ板支持部１ｆを足押さえ板支持ケース３とペダル取り付け台４の足押さえ板支持ケース支持部４ａで形成された挿入孔に挿入中には、Ｌ字形棒状弾性体２は図４、図５の状態を繰り返す。
以上は本考案の一形態で、以下に応用形態を説明する。
【実施例１】
【００１５】
図６は足押さえ板の変形であるが、角材を曲げて係止部と支持部を構成する。
【００１６】
弾性体は上記棒状弾性体の直径と同寸法の幅を持つ板状の弾性体でも良い。
【実施例２】
【００１７】
図７はペダル取り付け台をペダルにネジ留めする形態を示す。ペダル取り付け台の前後のズレ防止爪に雌ネジを形成し、ペダルの側面を拘束する。
【実施例３】
【００１８】
図８はペダルズレ防止爪の変形であるが、形状と形成位置の一例である。
【図面の簡単な説明】
【００１９】
【図１】左足用ペダル補助具を市販の左足用ペダルにバンドで固定した斜視図
【図２】左足用ペダル補助具の全体組立図
【図３】ペダル取り付け台と固定バンドの斜視図
【図４】足押さえ板に組み込まれた棒状弾性体が伸びた状態図
【図５】足押さえ板に組み込まれた棒状弾性体が曲がった状態図
【図６】足押さえ板の変形例
【図７】ペダルへの取り付け方法の変形例
【図８】ズレ防止爪の変形二例    右足用ペダル補助具は左足用と左右対称に現れるので図面は省略する。
【符号の説明】
【００２０】
１  足押さえ板
１ａ  ラッチ用突起部
１ｂ  Ｌ字形棒状弾性体支持孔
１ｃ  Ｌ字形棒状弾性体ガイド孔
１ｄ  緩衝材
１ｅ  足押さえ板の係止部
１ｆ  足押さえ板の支持部
２  Ｌ字形棒状弾性体
３  足押さえ板支持ケース
３ａ  足押さえ板支持ケース固定ネジ
４  ペダル取り付け台
４ａ  足押さえ板支持ケース支持部
４ｂ  ラッチ用凹み部
４ｃ  ペダルズレ防止爪
４ｄ  固定バンド穴
５  固定バンド
６  市販のペダル
【図１】
0003119183.tif 000003
【図２】
0003119183.tif 000004
【図３】
0003119183.tif 000005
【図４】
0003119183.tif 000006
【図５】
0003119183.tif 000007
【図６】
0003119183.tif 000008
【図７】
0003119183.tif 000009
【図８】
0003119183.tif 000010